(57)【特許請求の範囲】
【請求項１】
透液性トップシートと、不透液性バックシートとの間に吸収体が介在され、かつ後部がわ両側部にそれぞれヒップホールド用フラップを有する吸収性物品において、
前記ヒップホールド用フラップ領域は、肌当接面側から見て、白色度(JIS P 8123)の異なる少なくとも２以上の色領域に区画され、かつ吸収体に隣接する色領域の白色度が他の色領域よりも高くなっているとともに、前記ヒップホールド用フラップ領域における白色度差は、着色またはエンボス付与によって付与してあることを特徴とする吸収性物品。
【請求項２】
前記吸収体に隣接する色領域の白色度は、隣接する他の色領域の白色度との比較で３以上の白色度差を有する請求項１記載の吸収性物品。
【請求項３】
前記吸収体に隣接する色領域の白色度は、６０以上である請求項１、２いずれかに記載の吸収性物品。
【請求項４】
前記吸収体に隣接する色領域の外縁と、吸収性物品の外形線との離間幅が３mm以上である請求項１〜３いずれかに記載の吸収性物品。
【発明の詳細な説明】
【０００１】
【発明の属する技術分野】
本発明は、経血やおりものなどを吸収するための生理用ナプキン、パンティライナー、失禁パッド等の吸収性物品に係り、詳しくは後部がわ両側部にヒップホールド用フラップを有する吸収性物品において、前記ヒップホールド部分に後漏れに対する安心感を与えるようにした吸収性物品に関する。
【０００２】
【従来の技術】
従来より、パンティライナー、生理用ナプキン、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
近年は、前記吸収性物品においても、体液の量や装着時間帯に応じた製品が各種提案されている。たとえば、夜用生理用ナプキンでは、下着に対する固定をより完全に図るとともに、後漏れを確実に防止するために、ナプキンの長手方向中間両側部に設けたウイング状フラップの他に、ヒップ側を完全にホールドするために、後部がわ両側部にも側部に延在するフラップ（以下、ヒップホールド用フラップという。）を設けたものが存在する。
【０００４】
具体的には、上記吸収性物品（生理用ナプキン）は、図５および図６に示されるように、ポリエチレンシートなどからなる不透液性バックシート５２と、経血やおりものなどを速やかに透過させる透液性トップシート５３と、これら両シート５２，５３間に介装された綿状パルプまたは合成パルプなどからなる吸収体５４と、表面がわ両側部に設けられた左右一対の立体ギャザーＢＳ、ＢＳとから主に構成され、前記吸収体５４の周囲においては、その上下端縁部では前記不透液性バックシート５２と透液性トップシート５３との外縁部がホットメルトなどの接着剤やヒートシール等の接着手段によって接合され、またその両側縁部では吸収体５４よりも側方に延出している前記不透液性バックシート５２と、前記立体ギャザーＢＳを形成しているサイド不織布５５とがホットメルトなどの接着剤やヒートシール等の接着手段によって接合され、これら不透液性バックシート５２とサイド不織布５５とによる積層シート部分によって側方に突出するウイング状フラップＷ、Ｗが形成されているとともに、これよりも後側部分にヒップホールド用フラップＨＦ、ＨＦが形成された構造となっている。
【０００５】
前記ウイング状フラップＷ、Ｗおよびヒップホールド用フラップＨＦ、ＨＦの外面側には粘着剤層５６…，５７…が設けられ、前記生理用ナプキン５０を下着に装着するには、生理用ナプキン５０を局所にあてがい、側方に突出する前記ウイング状フラップＷ、Ｗを下着より外に出し、フラップ基端の折返し線ＲＬ、ＲＬにて折返し、下着のクロッチ部分を巻き込むようにしながら下着の股間部外面に貼着するようにする（図７参照）。
【０００６】
【発明が解決しようとする課題】
従来、前記ヒップホールド用フラップＨＦ、ＨＦは、前述のように、サイド不織布５５と不透液性バックシート５２とを貼り合わせた二層シートにより構成され、基本的に経血等の吸収機能は有しない構造となっていたため、仮に吸収体５４から漏れたり、透液性トップシート５３を伝わって滲出する体液等があった場合の漏れ防止効果が十分ではなかった。
【０００７】
そこで、特開2000-189459号公報では、前記ヒップホールド用フラップＨＦ、ＨＦ部分にウイング用吸収体を設けるようにした吸収性物品が提案されている。
【０００８】
確かに、前記ウイング用吸収体を設けるようにすれば、該ヒップホールド用フラップＨＦ、ＨＦ部分における吸収能力が飛躍的に増大するけれども、ウイング用吸収体の存在が透液性トップシートによって完全に視覚的に遮られている場合には、装着者がその存在を確認できず、不安感を覚えることがある。
【０００９】
そこで本発明の主たる課題は、吸収性物品の後部がわ両側部にヒップホールド用フラップを有する吸収性物品において、前記ヒップホールド用フラップ部分に、少なくとも視覚的に後漏れに対する安心感を与えるようにした吸収性物品を提供することにある。
【００１０】
【課題を解決するための手段】
前記課題を解決するための請求項１に係る本発明として、透液性トップシートと、不透液性バックシートとの間に吸収体が介在され、かつ後部がわ両側部にそれぞれヒップホールド用フラップを有する吸収性物品において、
前記ヒップホールド用フラップ領域は、肌当接面側から見て、白色度(JIS P 8123)の異なる少なくとも２以上の色領域に区画され、かつ吸収体に隣接する色領域の白色度が他の色領域よりも高くなっているとともに、前記ヒップホールド用フラップ領域における白色度差は、着色またはエンボス付与によって付与してあることを特徴とする吸収性物品が提供される。
【００１１】
請求項２に係る本発明として、前記吸収体に隣接する色領域の白色度は、隣接する他の色領域の白色度との比較で３以上の白色度差を有する請求項１記載の吸収性物品が提供される。
【００１２】
請求項３に係る本発明として、前記吸収体に隣接する色領域の白色度は、６０以上である請求項１、２いずれかに記載の吸収性物品が提供される。
【００１３】
請求項４に係る本発明として、前記吸収体に隣接する色領域の外縁と、吸収性物品の外形線との離間幅が３mm以上である請求項１〜３いずれかに記載の吸収性物品が提供される。
【００１４】
【発明の実施の形態】
以下、本発明の実施の形態について図面を参照しながら詳述する。
【００１５】
〔基本構成〕
図１は本発明に係る生理用ナプキン１の展開図であり、図２は図１のII−II線矢視図、図３は図１のIII−III線矢視図である。
【００１６】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略側縁部を起立基端とし、かつ少なくとも排血口対応部から前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも後側に位置する部分にヒップホールド用フラップＨＦ，ＨＦが形成されている。
【００１７】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。
【００１８】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００１９】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましい。透液性トップシート３面には、吸収体の保持、表面側にきっちりと膨出させる、および吸収した体液を封じ込める等のために複数のエンボス６ａ〜６ｄが付与されている。
【００２０】
一方、前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜３０g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２１】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出口に相当する吸収体側部位置に左右一対のウイングフラップＷ、Ｗを形成するとともに、これより後部側位置にヒップホールド用フラップＨＦ、ＨＦを形成している。上記ウイング状フラップＷ、Ｗの外面側にはそれぞれ粘着剤層１０…を備え、図７に示されるように、ショーツ３０に対する装着時に、前記ウイング状フラップＷ、Ｗを反対側に折返し、ショーツのクロッチ部分に巻き付けて止着するようになっている。
【００２２】
一方、前記サイド不織布７の内側部分はほぼ二重に折り返されるとともに、この二重シート内部には、その高さ方向中間部に両端または長手方向の適宜の位置が固定された糸状弾性伸縮部材８が配設されるとともに、前記糸状弾性伸縮部材８の上側部位に複数本の、図示例では２本の糸状弾性伸縮部材９，９が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材８配設部位を屈曲点として、断面く字状に内側に開口を向けたポケットを形成しながら表面側に起立する立体ギャザーＢＳ、ＢＳが形成されている。
【００２３】
〔ヒップホールド用フラップＨＦ〕
本発明では、前記ヒップホールド用フラップＨＦ部において、後漏れに対する安心感を与えるように、あたかも吸収要素の存在を視覚的に訴えるような構成が採られている。
【００２４】
具体的には、前記ヒップホールド用フラップＨＦ領域は、肌当接面側から見て、白色度(JIS P 8123)の異なる少なくとも２以上の色領域Ａ，Ｂに区画され、かつ吸収体４に隣接する色領域Ａの白色度が他の色領域（Ｂ）よりも高くなっている。
【００２５】
前記白色度(JIS P 8123)は、ハンター白色度試験器により測定するもので、スペクトルの青−スミレ色の部分の光で照射したときの試料の標準酸化マグネシウム板に対する比反射度で示される。前記ヒップホールド用フラップＨＦ領域が、少なくとも吸収体４に隣接する色領域部分、すなわち吸収体４から漏れたり、透液性トップシート３を伝わって滲出する体液等があった場合に、あたかもこの体液等の吸収を期待させ得る所定の白色度を有する領域（Ａ）と、この領域に隣接するとともに、相対的に白色度の低い領域（Ｂ）とに区画されている。
【００２６】
この場合、前記吸収体４に隣接する色領域Ａの白色度は、隣接する他の色領域Ｂの白色度との比較で３以上の白色度差、好ましくは１０以上の白色度差を有することが望ましい。この程度の白色度差を有しないと、その部分に体液等の吸収を期待させるものの存在を明確に確認できない。
【００２７】
また、前記吸収体４に隣接する色領域Ａの白色度は、６０以上であることが望ましい。吸収体４に隣接する色領域Ａの白色度が６０以上である場合には、色領域Ａに存在するものが吸収要素であるとの認識傾向が高くなる。なお、前記色領域Ａ部分は、吸収体等が存在し実際に吸収効果を発揮する場合と、吸収要素が存在せず実際には吸収効果を有しない場合とを含むものである。すなわち、前記色領域Ａに吸収体、クレープ紙等の吸収機能を有する部材を配設するのが最も望ましいが、吸収機能を有せず単に着色のみであっても、装着者は後部漏れに対する安心感を持つことができる。
【００２８】
先ず、前記色領域Ａに所定の白色度を与える第１の方法としては、不透液性バックシート２の製造に当たり、前記色領域Ａ、Ｂに白色度の異なる着色を施して形成するようにしてもよいし、図３に示されるように、不透液性バックシート２の表面側（吸収体４配設側）であって、かつ前記色領域Ａを含む領域に、製造インラインにてインクジェット等による着色を施したり、あるいはエンボス加工により白色を表出する方法等を挙げることができる。前記エンボス加工は、細かいドット状エンボスを高密度で与え、プラスチックシートからなる不透液性バックシート２に局部的な塑性領域（極限的な伸びによって白色化）を細かく点在させることにより白色度を上げるようにする。この第１の方法は、言わば色領域Ａの部分に擬似的に吸収要素の存在を誤認させるものであるけれども、少なくとも着用者はその存在の誤認によって着用時に安心感を持つことができる。
【００２９】
次いで、第２の方法としては、図４に示されるように、実際に前記色領域Ａの白色度を上げるために、不透液性バックシート２の表面側に別素材１１を配設する方法を挙げることができる。前記別素材１１としては、たとえば好ましくは白色度６０以上の不織布、クレープ紙、パルプ、上質紙、ポリエチレンフィルム、ポリプロピレンフィルム等を使用することができる。これらの別素材１１の内、好ましくは実際に吸収効果を有する親水処理した不織布や、クレープ紙、パルプ等を用いるのが望ましい。
【００３０】
他方、前記色領域Ａの形成範囲に係り、前記白色度の高い色領域Ａが製品の外縁まで近接すると、漏れを連想させてしまうため、前記吸収体４に隣接する色領域Ａの外縁と、生理用ナプキン１の外形線との離間幅Ｄは３mm以上であることが望ましい。
【００３１】
ところで、前記ヒップホールド用フラップＨＦの形成態様は任意である。たとえば、本例のように、不透液性バックシート２とサイド不織布７とにより形成するのが一般的であるが、立体ギャザーＢＳを有しない場合には、透液性トップシート３を製品外縁まで延在し、不透液性バックシート２との貼り合わせによって形成してもよい。また、不透液性バックシート２のみを延長して形成しても良いし、或いはサイド不織布７または透液性トップシート３のみを延在して形成しても良い。さらには、別のシート片を取り付けて形成するようにしてもよい。
【００３２】
【実施例】
図８に示されるように、不透液性バックシート２に見立てたシートＡ、別素材１１に見立てたシートＢおよび透液性トップシート３に見立てたシートＣとを同図に示されるように積層し、シートＡ〜Ｃの積層部分をＡ面（色領域Ａ）、シートＡ、Ｃの積層部分をＢ面（色領域Ｂ）とし、前記Ａ面の白色度とＢ面の白色度との白色度差による官能評価を行った。なお、白色度の計測はJIS P 8123に準じたハンター式白色度計（日本電色工業製）により行い、官能評価はヒップホールド部分の安心感について女性モニター２０名による評価をとった。評価は、◎：非常に安心感がある、○：安心感がある、△：やや安心感がある、×：分からない、または安心感があるとは言えない、の４段階評価とした。その結果を表１に示す。
【００３３】
【表１】
0003812812.tif 000002
【００３４】
表１から白色度差が、概ね３以上の場合に安心感を得ることができ、６以上、好ましくは１５以上の場合に非常に高い安心感を官能的に得ることが判明した。
【００３５】
【発明の効果】
以上詳説のとおり本発明によれば、吸収性物品の後部がわ両側部にヒップホールド用フラップを有する吸収性物品において、前記ヒップホールド用フラップ部分に少なくとも視覚的に、後漏れに対する安心感を与えることができるようになる。
【図面の簡単な説明】
【図１】  本発明に係る生理用ナプキン１の展開図である。
【図２】  その横断面図（図１のII−II線矢視図）である。
【図３】  ヒップホールド用フラップＨＦに所定の白色度を与える方法例を示す図（図１のIII−III線矢視図）である。
【図４】  ヒップホールド用フラップＨＦに所定の白色度を与える他の方法例を示す図（図１のIII−III線矢視図）である。
【図５】  従来の生理用ナプキンの展開図である。
【図６】  その横断面図（図５のVI−VI線矢視図）である。
【図７】  ナプキンの装着状態を示す斜視図である。
【図８】  実施例における供試体作製要領を示す図である。
【符号の説明】
１…生理用ナプキン、２…不透液性バックシート、３…透液性トップシート、４…吸収体、５…クレープ紙、７…サイド不織布、ＢＳ…立体ギャザー、Ｗ…ウイング状フラップ、ＨＦ…ヒップホールド用フラップ
【図１】
0003812812.tif 000003
【図２】
0003812812.tif 000004
【図３】
0003812812.tif 000005
【図４】
0003812812.tif 000006
【図５】
0003812812.tif 000007
【図６】
0003812812.tif 000008
【図７】
0003812812.tif 000009
【図８】
0003812812.tif 000010